(57)【要約】【課題】信頼性を高め得る。【解決手段】厚み検出部６０は、搬送路３２を搬送される紙幣に当接すると共に、当該紙幣の搬送方向と直交する幅方向に沿った基準ローラ軸６４を中心に回転する基準ローラ５６と、搬送路３２を挟んで基準ローラ５６に対向して配され基準ローラ５６に接触することにより基準ローラ軸６４と略平行な検知ローラシャフト６８を中心に回転する厚み検知ローラ５８と、厚み検知ローラ５８を基準ローラ５６に離接可能に支持すると共に、厚み検知ローラ５８を基準ローラ５６の中心に向けて付勢するプレート６９及びスプリング７４と、厚み検知ローラ５８が基準ローラ５６に離接する方向に関する厚み検知ローラ５８の変位量を検出する変位センサ５９とを設ける。【選択図】図７
2015215845.tif 000002
【特許請求の範囲】
【請求項１】
所定の搬送路を搬送される紙葉状の媒体に当接すると共に、当該媒体の搬送方向と直交する幅方向に沿った基準軸を中心に回転する基準ローラと、
前記搬送路を挟んで前記基準ローラに対向して配され前記基準ローラに接触することにより前記基準軸と略平行なシャフトを中心に回転する検知ローラと、
前記検知ローラを前記基準ローラに離接可能に支持すると共に、前記検知ローラを前記基準ローラの中心に向けて付勢する付勢部材と、
前記検知ローラが前記基準ローラに離接する方向に関する前記検知ローラの変位量を検出する変位センサと
を有する厚み検出装置。
【請求項２】
前記付勢部材は、前記媒体の前記搬送方向及び前記幅方向に直交する厚み方向に沿って前記検知ローラを付勢する
請求項１に記載の厚み検出装置。
【請求項３】
前記検知ローラにおける前記媒体の前記搬送方向への移動を規制し、前記厚み方向への移動を許容する移動規制部材をさらに有する
請求項２に記載の厚み検出装置。
【請求項４】
前記変位センサは、前記検知ローラの外周面の変位量を検出する
請求項３に記載の厚み検出装置。
【請求項５】
前記付勢部材は、前記検知ローラの前記シャフトに当接し前記検知ローラを支持するプレートと、当該プレートにおける前記シャフトに対し前記搬送方向の上流側及び下流側の両側に設けられ当該プレートを付勢する弾性部材とにより構成される
請求項３に記載の厚み検出装置。
【請求項６】
前記付勢部材は、前記プレートにおける、前記シャフトから前記搬送方向の上流側及び下流側に対し等間隔となる位置に設けられた弾性部材により前記プレートを付勢する
請求項５に記載の厚み検出装置。
【請求項７】
前記移動規制部材は、前記プレートにおける前記搬送方向への移動を規制し、前記厚み方向への移動を許容する
請求項６に記載の厚み検出装置。
【請求項８】
前記プレートは、前記幅方向に突出するピンが形成されており、
前記移動規制部材は、前記プレートにおける前記ピンが前記厚み方向に摺動し且つ前記搬送方向には移動しない溝である
請求項７に記載の厚み検出装置。
【請求項９】
前記移動規制部材は、前記プレートと、前記プレートに対する前記搬送方向の上流側及び下流側に設けられたガイドとの間に配された弾性部材である
請求項７に記載の厚み検出装置。
【請求項１０】
前記移動規制部材は、前記シャフトにおける前記搬送方向への移動を規制し、前記厚み方向への移動を許容する
請求項３に記載の厚み検出装置。
【請求項１１】
前記移動規制部材は、前記シャフトが前記厚み方向に摺動し且つ前記搬送方向には移動しない溝である
請求項１０に記載の厚み検出装置。
【請求項１２】
前記付勢部材は、前記基準ローラの中心に対し前記厚み方向に沿った方向から前記検知ローラの前記シャフトを付勢する
請求項３に記載の厚み検出装置。
【請求項１３】
前記付勢部材は、トーションバースプリングである
請求項１２に記載の厚み検出装置。
【請求項１４】
紙葉状の媒体に関する操作を受け付ける操作部と、
前記媒体を搬送する搬送部と、
所定の搬送路を搬送される前記媒体に当接すると共に、当該媒体の搬送方向と直交する幅方向に沿った基準軸を中心に回転する基準ローラと、
前記搬送路を挟んで前記基準ローラに対向して配され前記基準ローラに接触することにより前記基準軸と略平行なシャフトを中心に回転する検知ローラと、
前記検知ローラを前記基準ローラに離接可能に支持すると共に、前記検知ローラを前記基準ローラの中心に向けて付勢する付勢部材と、
前記検知ローラが前記基準ローラに離接する方向に関する前記検知ローラの変位量を検出する変位センサと
を有する媒体取引装置。
【発明の詳細な説明】
【技術分野】
【０００１】
本発明は厚み検出装置及び媒体取引装置に関し、例えば紙幣等の媒体を投入して所望の取引を行う現金自動取引装置（ＡＴＭ：Automatic Teller Machine）等に適用して好適なものである。
【背景技術】
【０００２】
従来、金融機関や店舗等で使用される現金自動取引装置等においては、顧客との取引内容に応じて、例えば顧客に紙幣や硬貨等の現金を入金させ、また顧客へ現金を出金するようになされている。現金自動取引装置としては、例えば顧客との間で紙幣の授受を行う紙幣入出金部と、投入された紙幣の金種及び真偽を鑑別する鑑別部と、投入された紙幣を一時的に保留する一時保留部と、紙幣を搬送する搬送部と、金種毎に紙幣を格納する紙幣収納庫とを有するものがある。
【０００３】
ところで紙幣のなかには、一部が折り曲げられ、或いは粘着テープ等の異物が貼り付けられる等により、厚さが異なるものがある。そこで鑑別部として、光学センサや磁気センサ等により各種特性を検出すると共に厚みを検出した上で、それぞれの検出結果を総合して紙幣の種類や真偽等を判別するようになされたものが提案されている（例えば、特許文献１参照）。
【０００４】
例えば図２０に示すように、従来の鑑別部では、厚み検出部５６０により紙幣の厚みを検出するようになされている。この厚み検出部５６０は、互いに同様に構成された所定個数の厚み検出ユニット５６２が左右方向に並べて配置された構成となっている。
【０００５】
この厚み検出ユニット５６２は、前後方向に沿う搬送路３２の下側に基準ローラ軸６４を中心に回転する基準ローラ５６が配置され、その上側に検知ローラシャフト６８を中心に回転する厚み検知ローラ５８と、当該検知ローラシャフト６８を介して当該厚み検知ローラ５８を支持するブラケット９０とが配置されている。ブラケット９０は、厚み検知ローラ５８から前方へ離隔した位置に設けられたブラケット回動軸９１を中心に回動し得るようになされており、またその上側において厚み検知ローラ５８から後方へ離隔した位置に下端が取り付けられ上端が当接部材９４に取り付けられたスプリング９２により、下方向へ付勢されている。さらにブラケット９０の上方には、当該ブラケット９０における平坦な上端面である検出面９０Ａの変位量を検出する変位センサ５９が配置されている。
【０００６】
この鑑別部は、搬送される紙幣を厚み検出ユニット５６２の基準ローラ５６と厚み検知ローラ５８との間に挟み込み、当該紙幣の厚さに応じて厚み検知ローラ５８が上下方向に変位する際に、変位センサ５９によりブラケット９０の検出面９０Ａの変位量を厚み検知ローラ５８の変位量として検出する。そして鑑別部は、厚み検知ローラ５８の変位量を紙幣の厚さとして検出し、検出した厚さを予め記憶している厚さの基準値と比較することにより、折れ曲がりや異物の貼り付け等の有無を判断する。
【０００７】
この厚み検出部５６０は、ブラケット回動軸９１を中心に回動するブラケット９０の検出面９０Ａの変位を検出するため、当該ブラケット回動軸９１は、厚み検知ローラ５８から離隔した位置に設けられている。
【先行技術文献】
【特許文献】
【０００８】
【特許文献１】特開２０１２−６２１６０号公報
【発明の概要】
【発明が解決しようとする課題】
【０００９】
このように従来の厚み検出部５６０は、ブラケット回動軸９１を中心に回動するブラケット９０の検出面９０Ａの変位を検出するため、ブラケット９０は厚み検知ローラ５８の変位量に応じて上下方向へ移動すると共に前後方向へも移動してしまうこととなり、正確な厚みが検出できず、信頼性が低下してしまうおそれがあった。
【００１０】
本発明は以上の点を考慮してなされたもので、信頼性を高め得る厚み検出装置及び媒体取引装置を提案しようとするものである。
【課題を解決するための手段】
【００１１】
かかる課題を解決するため本発明の厚み検出装置においては、所定の搬送路を搬送される紙葉状の媒体に当接すると共に、当該媒体の搬送方向と直交する幅方向に沿った基準軸を中心に回転する基準ローラと、搬送路を挟んで基準ローラに対向して配され基準ローラに接触することにより基準軸と略平行なシャフトを中心に回転する検知ローラと、検知ローラを基準ローラに離接可能に支持すると共に、検知ローラを基準ローラの中心に向けて付勢する付勢部材と、検知ローラが基準ローラに離接する方向に関する検知ローラの変位量を検出する変位センサと設けるようにした。
【００１２】
この厚み検出装置は、検知ローラの搬送方向への移動を抑制し、厚み方向へのみ移動する検知ローラの変位量を検出でき、正確な厚みを検出できる。
【００１３】
また本発明の媒体取引装置においては、紙葉状の媒体に関する操作を受け付ける操作部と、媒体を搬送する搬送部と、所定の搬送路を搬送される媒体に当接すると共に、当該媒体の搬送方向と直交する幅方向に沿った基準軸を中心に回転する基準ローラと、搬送路を挟んで基準ローラに対向して配され基準ローラに接触することにより基準軸と略平行なシャフトを中心に回転する検知ローラと、検知ローラを基準ローラに離接可能に支持すると共に、検知ローラを基準ローラの中心に向けて付勢する付勢部材と、検知ローラが基準ローラに離接する方向に関する検知ローラの変位量を検出する変位センサとを設けるようにした。
【００１４】
この媒体取引装置は、検知ローラの搬送方向への移動を抑制し、厚み方向へのみ移動する検知ローラの変位量を検出でき、正確な厚みを検出できる。
【発明の効果】
【００１５】
本発明によれば、検知ローラの搬送方向への移動を抑制し、厚み方向へのみ移動する検知ローラの変位量を検出でき、正確な厚みを検出できる。かくして本発明は、信頼性を高め得る厚み検出装置及び媒体取引装置を実現できる。
【図面の簡単な説明】
【００１６】
【図１】現金自動取引装置の構成を示す斜視図である。
【図２】紙幣入出金機の構成を示す左側面図である。
【図３】鑑別部の構成を示す左側面図である。
【図４】第１の実施の形態による厚み検出部の構成（１）を示す左側面図である。
【図５】第１の実施の形態による厚み検出部の構成（２）を示す正面図である。
【図６】第１の実施の形態による厚み検出部の構成（３）を示す平面図である。
【図７】第１の実施の形態による厚み検出部の構成（４）を示し、図５におけるＸ−Ｘ矢視断面図である。
【図８】第１の実施の形態による厚み検出部の構成（５）を示し、図６におけるＹ−Ｙ矢視断面図である。
【図９】第１の実施の形態による紙幣搬送時の厚み検出部の構成（１）を示す左側面図である。
【図１０】第１の実施の形態による紙幣搬送時の厚み検出部の構成（２）を示す正面図である。
【図１１】第１の実施の形態による紙幣搬送時の厚み検出部の構成（３）を示す正面図である。
【図１２】第２の実施の形態による厚み検出部の構成（１）を示す平面図である。
【図１３】第２の実施の形態による厚み検出部の構成（２）を示し、図１２におけるＹ−Ｙ矢視断面図である。
【図１４】第３の実施の形態による厚み検出部の構成（１）を示す平面図である。
【図１５】第３の実施の形態による厚み検出部の構成（２）を示し、図１４におけるＹ−Ｙ矢視断面図である。
【図１６】第４の実施の形態による厚み検出部の構成（１）を示す平面図である。
【図１７】第４の実施の形態による厚み検出部の構成（２）を示し、図１６におけるＹ−Ｙ矢視断面図である。
【図１８】他の実施の形態による厚み検出部の構成を示す平面図である。
【図１９】他の実施の形態による紙幣搬送時の厚み検出部の構成を示す正面図である。
【図２０】従来の厚み検出部の構成を示す左側面図である。
【図２１】従来の紙幣搬送時の厚み検出部の構成を示す左側面図である。
【発明を実施するための形態】
【００１７】
以下、発明を実施するための形態（以下実施の形態とする）について、図面を用いて説明する。
【００１８】
［１．第１の実施の形態］
［１−１．現金自動取引装置の構成］
図１に外観を示すように、現金自動取引装置１は、箱状の筐体２を中心に構成されており、例えば金融機関等に設置され、顧客との間で入金取引や出金取引等の現金に関する取引を行うようになされている。筐体２は、その前側に顧客が対峙した状態で紙幣の投入やタッチパネルによる操作等をしやすい箇所に接客部３が設けられている。
【００１９】
接客部３は、カード入出口４、入出金口５、操作表示部６、テンキー７及びレシート発行口８が設けられており、顧客との間で現金や通帳等を直接やり取りすると共に、取引に関する情報の通知や操作指示の受付を行う。カード入出口４は、キャッシュカード等の各種カードが挿入又は排出される部分である。カード入出口４の奥側には、各種カードに磁気記録された口座番号等の読み取りを行うカード処理部（図示せず）が設けられている。入出金口５は、顧客が入金する紙幣が投入されると共に、顧客へ出金する紙幣が排出される部分である。また入出金口５は、シャッタを駆動することにより開放又は閉鎖するようになされている。操作表示部６は、取引に際して操作画面を表示するＬＣＤ（Liquid Crystal Display）と、取引の種類の選択、暗証番号や取引金額等を入力するタッチパネルとが一体化されている。テンキー７は、「０」〜「９」の数字等の入力を受け付ける物理的なキーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００２０】
筐体２内には、現金自動取引装置１全体を統括制御する主制御部９や、紙幣に関する種々の処理を行う紙幣入出金機１０等が設けられている。主制御部９は、図示しないＣＰＵ（Central Processing Unit）を中心に構成されており、ＲＯＭ（Read Only Memory）、ＲＡＭ（Random Access Memory）、ハードディスクドライブやフラッシュメモリ等でなる記憶部（図示せず）から所定のプログラムを読み出して実行することにより、各部を制御して入金取引や出金取引等の種々の処理を行う。
【００２１】
以下では、現金自動取引装置１のうち顧客が対峙する側を前側とし、その反対を後側とし、当該前側に対峙した顧客から見て左及び右をそれぞれ左側及び右側とし、さらに上側及び下側を定義して説明する。
【００２２】
［１−２．紙幣入出金機の内部構成］
紙幣入出金機１０は、図２に示すように、制御部１２が各部（紙幣入出金部１６、搬送部２４、鑑別部１８、一時保留部２０、紙幣収納庫２６、リジェクト庫２８及び取忘れ回収庫２２）を統括制御する。制御部１２は、図示しないＣＰＵを中心に構成されており、ＲＯＭ、ＲＡＭ、ハードディスクドライブやフラッシュメモリ等でなる記憶部から所定のプログラムを読み出して実行することにより、各部を制御して入金取引や出金取引等の種々の処理を行う。
【００２３】
紙幣入出金機１０の内部には、上側に紙幣入出金部１６、紙幣の金種や真偽を判定する鑑別部１８、入金紙幣等を一時的に保留する一時保留部２０及び取引時に顧客が紙幣入出金部１６から取り忘れた紙幣を回収して格納する取忘れ回収庫２２等が設けられている。
【００２４】
紙幣入出金部１６は、顧客から投入された紙幣を１枚ずつ分離し搬送部２４へ繰り出す。搬送部２４は、図示しないローラやベルト等により、図中太線で示す搬送路に沿って長方形の紙幣を短手方向に搬送する。搬送部２４は、鑑別部１８を前後方向に挿通させるように紙幣を搬送し、当該鑑別部１８の後側と一時保留部２０、取忘れ回収庫２２及び紙幣入出金部１６とをそれぞれ接続している。また搬送部２４は、鑑別部１８の前側と紙幣入出金部１６、紙幣収納庫２６及びリジェクト庫２８とを接続している。
【００２５】
鑑別部１８は、その内部で紙幣を搬送しながら、光学素子や磁気検出素子等を用いて当該紙幣の金種及び真偽、並びに損傷の程度等（正損）を鑑別し、その鑑別結果を制御部１２へ通知する。これに応じて制御部１２は、取得した鑑別結果に基づいて当該紙幣の搬送先を決定する。
【００２６】
一時保留部２０は、入金時に顧客が紙幣入出金部１６へ投入した紙幣を一時的に保留し、鑑別部１８で入金可能と鑑別された正常紙幣を入金が確定するまで一時的に保留する一方、入金不可と鑑別されたリジェクト紙幣を、所謂後入れ先出しで紙幣入出金部１６へ排出する。
【００２７】
また紙幣入出金機１０の内部には、下側に金種別の紙幣収納庫２６と、鑑別部１８において破損した紙幣（いわゆる損券）と鑑別された紙幣及び５千券や２千券等の還流されない金種の紙幣を格納するリジェクト庫２８とが設けられている。紙幣収納庫２６は、収納排出機構により、搬送部２４から搬送されてきた紙幣を取り込んで収納すると共に、収納されている紙幣を排出して搬送部２４へ供給するようになされている。
【００２８】
かかる構成において現金自動取引装置１は、鑑別部１８による紙幣の鑑別結果等をもとに主制御部９及び制御部１２が各部を制御して、紙幣の入金処理、収納処理及び出金処理を行う。
【００２９】
すなわち現金自動取引装置１は、入金取引時、利用者により操作表示部６を介して入金取引が選択され、さらに入出金口５に紙幣が投入されると、投入された紙幣を紙幣入出金部１６から１枚ずつ鑑別部１８に搬送する。ここで現金自動取引装置１は、鑑別部１８の鑑別結果に基づき入金可能と判定された紙幣については一時保留部２０に搬送して一時的に収納する。一方で現金自動取引装置１は、入金に適さないと判定された紙幣については紙幣入出金部１６へ戻して、シャッタを開くことで利用者に返却する。その後利用者により入金金額が確定されると、現金自動取引装置１は、一時保留部２０に収納している紙幣を鑑別部１８に搬送して鑑別結果を得る。ここで現金自動取引装置１は、鑑別部１８の鑑別結果に基づき収納可能と判定された紙幣については、その金種に応じて各紙幣収納庫２６へ搬送して保管する。一方で現金自動取引装置１は、収納に適さないと判定された紙幣については、リジェクト庫２８へ搬送する。
【００３０】
一方出金取引時、現金自動取引装置１は、利用者により操作表示部６を介して出金取引が選択され出金金額が入力されると、出金金額に応じて必要な金種毎の紙幣枚数を認識し、この金種毎の紙幣枚数に応じて各紙幣収納庫２６から紙幣を繰り出して鑑別部１８に搬送して鑑別結果の識別結果を得る。ここで現金自動取引装置１は、鑑別部１８の鑑別結果に基づき出金可能と判定された紙幣については紙幣入出金部１６に搬送する。一方で現金自動取引装置１は、出金に適さないと判定された紙幣については一時保留部２０に搬送して一時的に収納する。そして出金金額分の紙幣が紙幣入出金部１６へ集積されると、現金自動取引装置１は、シャッタを開ける。これにより紙幣入出金部１６内に集積されている紙幣の受け取りが可能な状態となり、利用者がこの紙幣を受け取る。その後現金自動取引装置１は、一時保留部２０に収納している紙幣をリジェクト庫２８へと搬送して保管する。
【００３１】
［１−３．鑑別部の構成］
鑑別部１８は、図３に示すように、直方体形状の鑑別部筐体３０内において、ほぼ水平な搬送路３２に沿って紙幣を前方向又は後方向へ走行させながら、制御部１２の制御に基づき当該紙幣の鑑別処理を行う。因みに図３は、説明の都合上、鑑別部筐体３０の左側板等を省略して内部の各部品を模式的に表している。
【００３２】
搬送路３２は、上側搬送ガイド３４Ｕ及び下側搬送ガイド３４Ｄと、駆動ローラ３８、４０及び４２と、従動ローラ４４、４６及び４８と、基準ローラ５６と、厚み検知ローラ５８と、磁気ギャップローラ５４とにより構成されている。駆動ローラ３８、４０及び４２と磁気ギャップローラ５４とは、ゴム系の弾性部材により構成されており、紙幣に対し高い摩擦力を有している。従動ローラ４４、４６及び４８と厚み検知ローラ５８とは、金属、樹脂、ゴム系弾性部材、又はこれらを組み合わせたものにより構成されている。また基準ローラ５６は、所定の金属材料により形成されている。上側搬送ガイド３４Ｕ及び下側搬送ガイド３４Ｄは、紙幣ＢＬの紙面と対向する平面状の上側搬送面３４ＡＵ及び下側搬送面３４ＡＤをそれぞれ有しており、互いの搬送面の間に紙幣の搬送路３２を形成している。また鑑別部１８には、鑑別部筐体３０内を後側から前側へ向かうように、磁気検出部５０、光学検出部５３及び厚み検出部６０といった各モジュールが順次配置されている。
【００３３】
下側搬送ガイド３４Ｄには、駆動ローラ３８、４０及び４２と基準ローラ５６と磁気ギャップローラ５４とが、中心軸を左右方向に、すなわち紙幣ＢＬの搬送方向（面方向）と直交する方向に向けるよう、回転可能に取り付けられている。また駆動ローラ３８、４０及び４２と基準ローラ５６と磁気ギャップローラ５４とは、下側搬送ガイド３４Ｄに対し下側搬送面３４ＡＤに穿設された孔部からその周側面の一部を搬送路３２側に露出させている。さらに駆動ローラ３８、４０及び４２と基準ローラ５６と磁気ギャップローラ５４は、図示しないアクチュエータから駆動力が伝達されることにより、能動的に回転する。
【００３４】
一方、上側搬送ガイド３４Ｕにおける駆動ローラ３８、４０及び４２と基準ローラ５６と対向する箇所には、従動ローラ４４、４６及び４８と厚み検知ローラ５８とが、中心軸を左右方向に向けて回転可能に取り付けられている。また従動ローラ４４、４６及び４８と厚み検知ローラ５８とは、図示しない圧縮ばねによりそれぞれ駆動ローラ３８、４０及び４２と基準ローラ５６とに押し付けられている。このため従動ローラ４４、４６及び４８と厚み検知ローラ５８とは、搬送路３２に沿って紙幣ＢＬが搬送されてきた場合、当該紙幣ＢＬをそれぞれ駆動ローラ３８、４０及び４２と基準ローラ５６とに押し付ける。駆動ローラ３８、４０及び４２と磁気ギャップローラ５４と基準ローラ５６とは、回転力を紙幣ＢＬに伝達することにより、当該紙幣ＢＬを搬送路３２に沿って前後方向へ搬送する。
【００３５】
磁気検出部５０は、搬送路３２の上側に磁気センサ５２が配置されている。紙幣ＢＬは、局所的に磁性を帯びた磁気インクを用いて印刷されている。そこで磁気検出部５０は、磁気センサ５２により、搬送路３２を搬送される紙幣ＢＬの磁気を検出し、その検出結果を制御部１２へ送出する。これに応じて制御部１２は、磁気センサ５２から取得した紙幣ＢＬの磁気検出結果を用いて当該紙幣の真偽や金種等を判定する。
【００３６】
光学検出部５３は、上側に位置する上側反射透過センサユニット５３Ｕと下側に位置する下側反射透過センサユニット５３Ｄとにより構成されている。光学検出部５３は、紙幣ＢＬの反射パターン及び透過パターンを検出し、その検出結果を制御部１２へ送出する。これに応じて制御部１２は、光学検出部５３から取得した紙幣ＢＬの反射パターン及び透過パターンを用いて当該紙幣ＢＬの真偽や金種、或いは損傷の程度（正損）等を判定する。
【００３７】
厚み検出部６０は、厚み検知ローラ５８が基準ローラ５６へ当接するときの位置を基準とし、厚み検知ローラ５８の相対的な変位量を変位センサ５９により検出して、その検出結果を制御部１２へ送出する。これに応じて制御部１２は、この検出結果と予め記憶している厚さの基準値とを比較することにより、変位量が紙幣１枚分又は複数枚分の何れに相当するかを判定し、折れ曲がりや異物の貼り付け等の有無を判断する。
【００３８】
［１−４．厚み検出部の構成］
図４乃至図８に示すように、厚み検出部６０は、互いに同様に構成された複数個の厚み検出ユニット６２が左右方向に沿って、すなわち紙幣の搬送方向と直交する幅方向である左右方向に沿って、一列に並べて配置された構成となっている。これらの厚み検出ユニット６２同士の間には、図６に示すように上側搬送ガイド３４Ｕにリブ７０が形成されており、厚み検出ユニット６２同士の間に紙幣が入り込むことを防止している。
【００３９】
厚み検出ユニット６２は、搬送路３２の下側に配置された基準ローラ５６と、当該搬送路３２の上側に配置された厚み検知ローラ５８（５８Ｒ及び５８Ｌ）とを中心に構成されている。
【００４０】
基準ローラ５６は、所定の金属材料でなり、厚み検知ローラ５８Ｒ及び５８Ｌに対向して円筒形状に形成され、細長い円柱状の基準ローラ軸６４により左右方向に貫通されている。この基準ローラ軸６４は、箱型の厚み検出部筐体６６（図３）により図示しないベアリングを介して回転自在に支持されている。また基準ローラ軸６４は、図示しない駆動手段により回転駆動され、基準ローラ５６と一体に回転する。
【００４１】
基準ローラ５６の上部には、左右方向に所定の間隔を空けて、厚み検知ローラ５８Ｒ及び５８Ｌが検知ローラシャフト６８に貫通されている。厚み検知ローラ５８（５８Ｒ及び５８Ｌ）は、円筒形状でなり、いわゆるボールベアリングと同様に構成されており、検知ローラシャフト６８に固定された内輪に対し外輪を円滑に回転させる。
【００４２】
厚み検知ローラ５８Ｒと厚み検知ローラ５８Ｌとの間には、板状のプレート６９が検知ローラシャフト６８の上側の外周面に当接している。これにより厚み検知ローラ５８Ｒ及び５８Ｌは、間隔を保ちつつ互いに接触することなく滑らかに回転する。
【００４３】
プレート６９は、側面視において前後方向の長さが厚み検知ローラ５８よりも大きい長方形状であり、前後方向の中央において、検知ローラシャフト６８を押圧する略Ｖ字形状に切り欠かれたシャフト押付部６９Ａが形成されている。またプレート６９の天板における前端及び後端には、それぞれスプリング７４Ｆ及び７４Ｂ（以下ではまとめてスプリング７４とも呼ぶ）の下端が嵌め込まれるスプリング嵌込部６９ＢＦ及び６９ＢＢ（以下ではまとめてスプリング嵌込部６９Ｂとも呼ぶ）が形成されている。このスプリング嵌込部６９ＢＦ及び６９ＢＢは、検知ローラシャフト６８の中心から互いに同じ間隔を空けた位置に形成されている。またプレート６９の前端部分に設けられた孔部には円筒形状の位置拘束用ピン７６が左右方向に沿って貫通しており、当該プレート６９の左右側面からそれぞれ左方向及び右方向に突出している。この位置拘束用ピン７６は、上側搬送ガイド３４Ｕに形成された溝であるプレート移動規制溝７２に摺動可能に嵌め込まれている。なお図４及び図５においてプレート移動規制溝７２は図示せず省略している。
【００４４】
プレート移動規制溝７２は、位置拘束用ピン７６の直径とほぼ同じ間隔を空けて前後に対向する前壁面７２Ｆ及び後壁面７２Ｂと、位置拘束用ピン７６の左端部から右端部までの長さよりも僅かに長い間隔を空けて左右に対向する左壁面７２Ｌ及び右壁面７２Ｒとが上下方向に延設されている。これによりプレート６９は、前後方向へ移動する力を受けても、位置拘束用ピン７６が前壁面７２Ｆ及び後壁面７２Ｂに当接しているため、前後方向へは移動しない。一方プレート６９は、正面視において時計回り又は反時計回りに回動する力を受けると、位置拘束用ピン７６が右壁面７２Ｒ及び左壁面７２Ｌと僅かに隙間を空けているため、時計回り又は反時計回りに回動する。またプレート６９は、上下方向へ移動する力を受けると、プレート移動規制溝７２は位置拘束用ピン７６よりも上下方向に延設されているため、上下方向へ移動する。
【００４５】
このようにプレート６９は、プレート移動規制溝７２及び位置拘束用ピン７６により、前後方向へは移動しないよう規制されるものの、左右方向へは僅かに移動可能（すなわち正面視において回動可能）にされると共に、上下方向へも移動可能となっている。これにより厚み検知ローラ５８は、検知ローラシャフト６８がプレート６９に当接しているため、前後方向へは移動しないよう規制されるものの、左右方向へは僅かに移動可能（すなわち正面視において回動可能）にされると共に、変位センサ５９と基準ローラ軸６４の中心とを結んだ仮想的な線上を、検知ローラシャフト６８の中心が通るように上下方向へも移動可能（すなわち変位可能）となっている。
【００４６】
プレート６９の天板におけるスプリング嵌込部６９Ｂと厚み検出部筐体６６（図３）の天板部分との間には、コイルばねでなるスプリング７４が自然状態から圧縮された状態で取り付けられている。スプリング７４は、自然状態への復元力が作用することにより、厚み検出部筐体６６に対しプレート６９の天板を下方向へ押し付ける。これにより、厚み検知ローラ５８の検知ローラシャフト６８の中心に向かって、前後両端から等荷重が掛かることとなる。プレート６９は、前後両端から等荷重が掛かると共に位置拘束用ピン７６がプレート移動規制溝７２に嵌め込まれているため、当該プレート６９の天板が水平を保ったまま、すなわち側面視においてプレート６９が回動しないよう、上下移動する。
【００４７】
このようにスプリング７４は、プレート６９を介し、紙幣の搬送方向及び幅方向に直交する厚み方向（上下方向）に沿って厚み検知ローラ５８の検知ローラシャフト６８を付勢する。検知ローラシャフト６８は、プレート６９のシャフト押付部６９Ａにより基準ローラ軸６４の中心に向かって押し付けられている。これにより厚み検知ローラ５８は、下方向へ、すなわち基準ローラ５６へ向けて押し付けられる。
【００４８】
また厚み検出部筐体６６内における厚み検知ローラ５８Ｒ及び５８Ｌの上方には、それぞれ渦電流式変位センサである変位センサ５９Ｒ及び５９Ｌ（以下ではまとめて変位センサ５９とも呼ぶ）が設けられている。変位センサ５９は、厚み検知ローラ５８が基準ローラ５６へ当接するときの位置を基準とし、厚み検知ローラ５８の外周面５８Ａのうちの上側の曲面における所定箇所の表面積の相対的な変位量を検出して、その検出結果を制御部１２へ送出する。
【００４９】
制御部１２は、この検出結果と予め記憶している厚さの基準値とを比較することにより、変位量が紙幣１枚分又は複数枚分の何れに相当するかを判定し、折れ曲がりや異物の貼り付け等の有無を判断する。
【００５０】
かかる構成により厚み検出部６０では、搬送路３２に何も搬送されていない場合、スプリング７４の作用により厚み検知ローラ５８を基準ローラ５６に当接させる。これにより厚み検知ローラ５８は、基準ローラ５６から回転駆動力を伝えられ、当該基準ローラ５６の回転に合わせて回転する。このとき厚み検出部６０は、変位センサ５９により厚み検知ローラ５８が基準となる高さに位置していることを検出し、その検出結果を制御部１２へ送出する。その一方で厚み検出部６０では、搬送路３２に紙幣ＢＬが搬送されている場合、図９及び図１０に示すように、厚み検知ローラ５８と基準ローラ５６との間に当該紙幣ＢＬを挟持するため、当該紙幣ＢＬの厚さに応じて厚み検知ローラ５８が上方向へ変位し、検知ローラシャフト６８がプレート６９を上方へ押し上げる。このとき厚み検出部６０は、変位センサ５９により厚み検知ローラ５８の変位量を検出し、その検出結果を制御部１２へ送出する。
【００５１】
また、図１１に示すようにテープＴが貼り付けられた紙幣ＢＬが搬送され、例えば厚み検知ローラ５８Ｌのみが当該テープＴに片乗りした場合、厚み検知ローラ５８は正面視においてプレート移動規制溝７２に対し回動可能に構成されているため、厚み検知ローラ５８、検知ローラシャフト６８及びプレート６９は共にテープＴの厚みの分だけ傾くこととなり、厚み検知ローラ５８はテープＴの厚みに追従することができる。このため厚み検出部６０は、変位センサ５９Ｌ及び５９Ｒそれぞれが検出した外周面５８Ａの変位に基づくことにより、片乗り状態であってもテープＴの厚みを正確に取得することができる。
【００５２】
［１−５．効果］
以上の構成において、厚み検出部６０は、厚み検知ローラ５８の検知ローラシャフト６８の中心に向かって紙幣の搬送方向の上流側及び下流側の両側から等荷重を掛けることにより厚み検知ローラ５８を基準ローラ５６に押し付けると共に、厚み検知ローラ５８の前後方向への移動は規制しつつ、左右方向及び上下方向への移動は許容するようにした。これにより厚み検出部６０は、厚み検知ローラ５８の前後方向への移動が除かれた上下方向への変位のみを検出することができ、紙幣の厚みを安定的に検出することができる。
【００５３】
ここで、従来の厚み検出部５６０（図２０）においては、変位センサ５９が検出する検出面９０Ａの変位は、厚み検知ローラ５８からブラケット９０を介し、ブラケット回動軸９１を支点として増幅されたものであるため、紙幣の表面に貼られたテープ等の微小な厚みが、厚み検知ローラ５８とブラケット９０との間のガタや、ブラケット回動軸９１のガタ等によって打ち消されてしまい、紙幣の厚みを正確に検知できない可能性があった。また一方、従来の厚み検出部５６０においては、小さなゴミ等による厚み検知ローラ５８の変位がブラケット回動軸９１を支点として増幅されてしまい、大きな変位として誤検知してしまい、紙幣の厚みを正確に検知できない可能性があった。
【００５４】
さらに従来の厚み検出部５６０は、図２１（Ａ）に示すように、前方から、すなわち検知ローラシャフト６８に対するブラケット回動軸９１側から厚み検出部５６０に対し紙幣が搬送された場合、厚み検知ローラ５８と基準ローラ５６との間に突入した紙幣から、厚み検知ローラ５８を押し上げる力が検知ローラシャフト６８に伝達する。この力はブラケット９０を介してブラケット回動軸９１に伝達し、当該力に対し、反力Ｆ１がブラケット回動軸９１に発生する。この反力Ｆ１は、前方を向くと共に、厚み検知ローラ５８を上方へ押し上げる方向である上方を向いているため、厚み検知ローラ５８は持ち上がり易くなる。
【００５５】
一方従来の厚み検出部５６０は、図２１（Ｂ）に示すように、後方から、すなわち検知ローラシャフト６８に対するブラケット回動軸９１側とは逆側から厚み検出部５６０に対し紙幣が搬送された場合、厚み検知ローラ５８と基準ローラ５６との間に突入した紙幣から、厚み検知ローラ５８を押し上げる力が検知ローラシャフト６８、ブラケット９０を介してブラケット回動軸９１に伝達し、当該力に対し、反力Ｆ１よりも大きい反力Ｆ２がブラケット回動軸９１に発生する。この反力Ｆ２は、後方を向くと共に、厚み検知ローラ５８を下方へ押し付ける方向である下方を向いているため、厚み検知ローラ５８は持ち上がり難くなり、検出面９０Ａの変位が不安定になり易い。
【００５６】
このため厚み検出部５６０は、検知ローラシャフト６８に対しブラケット回動軸９１側とは逆側から紙幣が搬送された場合、検知ローラシャフト６８に対しブラケット回動軸９１側から紙幣が搬送された場合と比べ、厚み検出結果が安定しないと共に、再現性が不安定になるおそれがあった。このように従来の厚み検出部５６０は、紙幣の走行方向によって異なる方向及び大きさの反力が発生し、厚み検出結果の安定性が異なってしまう。
【００５７】
これに対し厚み検出部６０は、従来の厚み検出部５６０のような、ブラケット回動軸９１を中心に回動するブラケット９０の検出面９０Ａの変位を検出する構成ではなくなるため、紙幣走行方向による厚み検出結果の変動を抑制することができる。また厚み検出部６０は、紙幣の表面に貼られたテープ等の微小な厚みが打ち消されてしまったり、小さなゴミ等による厚み検知ローラ５８の変位が増幅されて大きな変位として誤検知してしまったりすることを抑制できる。
【００５８】
また、厚み検知ローラ５８の外周面５８Ａは湾曲しているため、仮に厚み検知ローラ５８が前後方向に移動してしまうと、厚み検出結果は不安定になってしまう。このため、厚み検知ローラ５８が前後方向に移動してしまう従来の厚み検出部５６０においては、平坦面である検出面９０Ａを変位センサ５９が検知することにより、厚み検知ローラ５８が前後方向に移動してしまっても厚み検出結果が不安定にならないようにしていた。しかしながらその場合、厚み検知ローラ５８及び検知ローラシャフト６８に追従してブラケット９０が動くため、変位センサ５９が検出する変位は精度が低くなってしまっていた。
【００５９】
これに対し厚み検出部６０は、厚み検知ローラ５８が前後方向に移動せず、上下方向にしか移動しないため、厚み検知ローラ５８の外周面５８Ａの変位を安定的に検知すると共に、ブラケット９０の検出面９０Ａを検出する場合よりもさらに高精度に厚みを検出できる。
【００６０】
また、従来の厚み検出部５６０において紙幣の厚みを正確に検知するためには、厚み検知ローラ５８やブラケット回動軸９１の構成部品のガタを小さくする必要があるため、部品数を増加させたり高精度に組み上げたりする必要があり、コストが高くなってしまっていた。
【００６１】
これに対し厚み検出部５６０は、ブラケット９０の検出面９０Ａではなく厚み検知ローラ５８の外周面５８Ａの変位を検知するため、高精度が要求される箇所をなくすことができ、構造を簡素化し、部品数や製造工程を低減し、低コストとすることができる。
【００６２】
以上の構成によれば厚み検出部６０は、搬送路３２を搬送される紙葉状の媒体としての紙幣に当接すると共に、当該紙幣の搬送方向と直交する幅方向に沿った基準軸としての基準ローラ軸６４を中心に回転する基準ローラ５６と、搬送路３２を挟んで基準ローラ５６に対向して配され基準ローラ５６に接触することにより基準ローラ軸６４と略平行な検知ローラシャフト６８を中心に回転する厚み検知ローラ５８と、厚み検知ローラ５８を基準ローラ５６に離接可能に支持すると共に、厚み検知ローラ５８を基準ローラ５６の中心に向けて付勢するプレート６９及びスプリング７４と、厚み検知ローラ５８が基準ローラ５６に離接する方向に関する厚み検知ローラ５８の変位量を検出する変位センサ５９とを設けるようにした。これにより厚み検出部６０は、厚み検知ローラ５８の搬送方向への移動を抑制し、厚み方向へのみ移動する厚み検知ローラ５８の変位量を検出でき、正確な厚みを検出できる。
【００６３】
［２．第２の実施の形態］
［２−１．紙幣入出金機及び鑑別部の構成］
図１及び図２に示すように、第２の実施の形態による現金自動取引装置１０１の紙幣入出金機１１０は、第１の実施の形態による現金自動取引装置１の紙幣入出金機１０と比べて、鑑別部１１８が鑑別部１８と異なっているものの、それ以外は同様に構成されている。図３に示すように、第２の実施の形態による鑑別部１１８は、第１の実施の形態による鑑別部１８と比べて、厚み検出部１６０が厚み検出部６０と異なっているものの、それ以外は同様に構成されている。
【００６４】
［２−２．厚み検出部の構成］
図１２及び図１３に示すように、厚み検出部１６０の厚み検出ユニット１６２は、厚み検出部６０の厚み検出ユニット６２と比べて、位置拘束用ピン７６が省略されている。また、プレート１６９の前端面及び後端面と上側搬送ガイド１３４Ｕとの間には、それぞれ例えばシリコンにより構成されたシーリング材７８が充填されている。
【００６５】
かかる構成において、プレート１６９と上側搬送ガイド１３４Ｕとの間には弾性部材としてのシーリング材７８が充填されているため、プレート１６９は前後方向へは移動しないよう規制されるものの、上下方向へはシーリング材７８の弾性力により僅かに移動可能となる。これにより厚み検知ローラ５８は、前後方向へは移動しないよう規制されるものの、上下方向へは移動可能（すなわち変位可能）となる。
【００６６】
このように厚み検出部１６０は、厚み検出部６０と比べてプレート６９の位置拘束用ピン７６を省略し部材を簡素化できる。その他第２の実施の形態による鑑別部１１８は、第１の実施の形態による鑑別部１８とほぼ同様の作用効果を奏する。
【００６７】
［３．第３の実施の形態］
［３−１．紙幣入出金機及び鑑別部の構成］
図１及び図２に示すように、第３の実施の形態による現金自動取引装置２０１の紙幣入出金機２１０は、第１の実施の形態による現金自動取引装置１の紙幣入出金機１０と比べて、鑑別部２１８が鑑別部１８と異なっているものの、それ以外は同様に構成されている。図３に示すように、第３の実施の形態による鑑別部２１８は、第１の実施の形態による鑑別部１８と比べて、厚み検出部２６０が厚み検出部６０と異なっているものの、それ以外は同様に構成されている。
【００６８】
［３−２．厚み検出部の構成］
図１４及び図１５に示すように、厚み検出部２６０の厚み検出ユニット２６２は、厚み検出部６０の厚み検出ユニット６２と比べて、位置拘束用ピン７６が省略されていると共に、上側搬送ガイド３４Ｕにシャフト移動規制溝８６が形成されている。
【００６９】
プレート１６９の左側における、上側搬送ガイド３４Ｕにおいて検知ローラシャフト６８と対向する箇所には、略Ｕ字形状に切り欠かれたシャフト移動規制溝８６が形成されている。検知ローラシャフト６８は、シャフト移動規制溝８６に摺動可能に嵌め込まれている。シャフト移動規制溝８６は、検知ローラシャフト６８の直径とほぼ同じ間隔を空けて前後に対向する前壁面８６Ｆ及び後壁面８６Ｂが形成されていると共に、上方が開口している。
【００７０】
このため厚み検知ローラ５８は、前後方向へ移動する力を受けても、検知ローラシャフト６８が前壁面８６Ｆ及び後壁面８６Ｂに当接しているため、前後方向へは移動しない。また厚み検知ローラ５８は、上下方向へ移動する力を受けると、シャフト移動規制溝８６の上方が開口しているため、当該シャフト移動規制溝８６から検知ローラシャフト６８が外れない程度の範囲において上下方向へ移動する。これにより厚み検知ローラ５８は、前後方向へは移動しないよう規制されるものの、上下方向へは移動可能（すなわち変位可能）となる。
【００７１】
このように厚み検出部１６０は、厚み検出部６０と比べてプレート６９の位置拘束用ピン７６を省略し部材を簡素化できる。その他第４の実施の形態による鑑別部３１８は、第１の実施の形態による鑑別部１８とほぼ同様の作用効果を奏する。
【００７２】
［４．第４の実施の形態］
［４−１．紙幣入出金機及び鑑別部の構成］
図１及び図２に示すように、第４の実施の形態による現金自動取引装置３０１の紙幣入出金機３１０は、第１の実施の形態による現金自動取引装置１の紙幣入出金機１０と比べて、鑑別部３１８が鑑別部１８と異なっているものの、それ以外は同様に構成されている。図３に示すように、第４の実施の形態による鑑別部３１８は、第１の実施の形態による鑑別部１８と比べて、厚み検出部３６０が厚み検出部６０と異なっているものの、それ以外は同様に構成されている。
【００７３】
［４−２．厚み検出部の構成］
図１６及び図１７に示すように、厚み検出部３６０の厚み検出ユニット３６２は、厚み検出部６０の厚み検出ユニット６２と比べて、プレート６９が省略され、スプリング８０が追加されている。
【００７４】
スプリング８０は、トーションバースプリングであり、１本の金属棒の左右方向の中央部分である巻装部８０Ａが、厚み検知ローラ５８の後方において上側搬送ガイド３４Ｕ（図示せず）に固定され左右方向に延びるスプリング軸８２に巻装されている。巻装部８０Ａの左端からはトーションバースプリングの一部分である前腕部８０Ｆが前方向へ、巻装部８０Ａの右端からはトーションバースプリングの一部分である後腕部８０Ｂが上方向へそれぞれ延びている。スプリング８０は、前腕部８０Ｆの前端部が自然状態よりも上方向に位置する状態で、後腕部８０Ｂの上端部が自然状態よりも前方向に位置する状態で、それぞれ検知ローラシャフト６８と、上側搬送ガイド３４Ｕ（図示せず）に形成されたスプリング当接部材８４とに当接し、巻装部８０Ａがスプリング軸８２に固定されている。
【００７５】
このためスプリング８０は、自然状態に戻ろうとする反発力により、前腕部８０Ｆは検知ローラシャフト６８を基準ローラ軸６４の中心に向かって下方へ押し付ける。これにより厚み検知ローラ５８は、下方向へ、すなわち基準ローラ５６へ向けて押し付けられる。
【００７６】
このように厚み検出部３６０は、従来の厚み検出部５６０のような、ブラケット回動軸９１を中心に回動するブラケット９０の検出面９０Ａの変位を検出する構成ではなくなり、厚み検知ローラ５８が基準ローラ軸６４の中心に向かってのみ押し付けられるため、紙幣の通過に伴う厚み検知ローラ５８の前後方向への移動がなくなり、安定的に厚みを検出できる。また厚み検出部３６０は、厚み検出部６０と比べてプレート６９及びスプリング７４を省略し部材を簡素化できる。その他第４の実施の形態による鑑別部３１８は、第１の実施の形態による鑑別部１８とほぼ同様の作用効果を奏する。
【００７７】
［５．他の実施の形態］
なお上述した実施の形態においては、位置拘束用ピン７６の左端部から右端部までの長さよりも僅かに長い間隔を空けて対向する左壁面７２Ｌ及び右壁面７２Ｒをプレート移動規制溝７２に形成することにより、片乗り状態において、厚み検知ローラ５８、検知ローラシャフト６８及びプレート６９が共にテープＴの厚みの分だけ傾く場合について述べた。本発明はこれに限らず、厚み検知ローラ及び検知ローラシャフトが、正面視においてプレートに対し回動可能に構成されていても良い。
【００７８】
具体的には図１８及び図１９に示す厚み検出部４６０の厚み検出ユニット４６２のように、検知ローラシャフト４６８には、プレート６９の右側及び左側において、外径が大きくなる段差形状である段差部８８（８８Ｒ及び８８Ｌ）が形成されており、この段差部８８の間にプレート６９が配置される。段差部８８Ｒと段差部８８Ｌとの間の距離である段差間距離ｄ１は、プレート６９の左右の幅であるプレート幅ｄ２よりも僅かに長く形成されているため、プレート６９と段差部８８との間には僅かに隙間が形成されている。これにより厚み検知ローラ５８及び検知ローラシャフト４６８は、正面視においてプレート６９に対し回動可能に構成される。
【００７９】
ここで図１９に示すようにテープＴが貼り付けられた紙幣ＢＬが搬送され、例えば厚み検知ローラ５８Ｌのみが当該テープＴに片乗りした場合、厚み検知ローラ５８及び検知ローラシャフト４６８は、正面視においてプレート６９に対し回動可能に構成されているため、厚み検知ローラ５８及び検知ローラシャフト４６８は共にテープＴの厚みの分だけ傾き、厚み検知ローラ５８はテープＴの厚みに追従することができる。このため厚み検出部４６０は、変位センサ５９Ｌ及び５９Ｒそれぞれが検出した外周面５８Ａの変位に基づくことにより、片乗り状態であってもテープＴの厚みを正確に取得することができる。
【００８０】
さらに上述した実施の形態においては、厚み検知ローラ５８の外周面５８Ａの変位を変位センサ５９で検出するようにした。本発明はこれに限らず、例えばプレート６９の天板の変位を変位センサ５９で検出しても良い。この場合、従来の厚み検出部５６０のブラケット９０の検出面９０Ａと比べて、プレート６９の方が上下移動が安定しているため、厚み検知ローラ５８及び検知ローラシャフト６８に追従して動くプレート６９の変位を検出するとしても、従来の厚み検出部５６０よりも精度良く厚みを検出できる。
【００８１】
さらに上述した実施の形態においては、プレート６９の前端部分に設けられた孔部に位置拘束用ピン７６を挿入する場合について述べた。本発明はこれに限らず、円筒形状の位置拘束用ピンをプレート６９の左右側面からそれぞれ左右方向に突出させても良い。また、上側搬送ガイド３４Ｕから位置拘束用ピンを突出させ、当該位置拘束用ピンが嵌り込むプレート移動規制溝をプレート６９に穿設しても良い。
【００８２】
さらに上述した実施の形態においては、プレート６９と検知ローラシャフト６８とを別部品として構成する場合について述べた。本発明はこれに限らず、プレート６９と検知ローラシャフト６８とを一体成形等により一部品として構成しても良い。
【００８３】
さらに上述した第４の実施の形態において、検知ローラシャフト６８の前後方向への移動を規制する部材を追加しても良い。
【００８４】
さらに上述した第４の実施の形態においては、トーションバースプリングでなるスプリング８０により厚み検知ローラ５８を付勢する場合について述べた。本発明はこれに限らず、例えば板ばね等、種々の付勢手段により付勢して良い。
【００８５】
さらに上述した第１乃至第３の実施の形態においては、プレート６９の天板における、前端及び後端に設けられたスプリング嵌込部６９ＢＦ及び６９ＢＢそれぞれにスプリング７４の一端が嵌め込まれる場合について述べた。本発明はこれに限らず、プレート６９の天板における、前後方向の中央部に設けられた１つのスプリング嵌込部に１つのスプリングの一端が嵌め込まれ、プレート６９を介し厚み検知ローラ５８を基準ローラ５６に向けて押し付けても良い。
【００８６】
さらに上述した実施の形態においては、プレート６９が天板の水平を保ったまま上下移動する場合について述べた。本発明はこれに限らず、プレート６９が天板の水平を保たずに上下移動しても良い。この場合においても変位センサ５９は、厚み検知ローラ５８の外周面５８Ａの変位を検出するため、たとえプレート６９の天板の水平が保たれなかったとしても、紙幣の厚みを正確に検出できる。
【００８７】
さらに上述した実施の形態においては、渦電流式変位センサを変位センサ５９として用いる場合について述べた。本発明はこれに限らず、例えば静電容量式変位センサ、光学式変位センサ又は接触式変位センサ等、種々の方式の変位センサを用いても良い。
【００８８】
さらに上述した実施の形態においては、ほぼ水平な搬送路３２に沿って紙幣を前後方向へ走行させる鑑別部１８、１１８、２１８及び３１８において本発明を適用する場合について述べた。本発明はこれに限らず、ほぼ鉛直な搬送路に沿って紙幣を上下方向へ走行させる等、種々の方向に沿って紙幣を走行させる鑑別部において本発明を適用しても良い。
【００８９】
さらに上述した実施の形態においては、現金を取引する現金自動取引装置１、１０１、２０１及び３０１において、媒体としての紙幣を鑑別する鑑別部において本発明を適用する場合について述べた。本発明はこれに限らず、例えば債権、証書、商品券、金券や入場券等のような薄い紙状の媒体を鑑別する種々の装置に適用しても良い。
【００９０】
また、例えば紙幣を入出する紙幣入出金機や紙幣を所定枚数毎に施封する施封小束支払機等、紙幣や硬貨の取引に関する種々の処理を行う複数種類の装置の組み合わせにより構成された現金処理装置に本発明を適用してもよい。
【００９１】
さらに上述した実施の形態においては、入金取引及び出金取引を行う現金自動取引装置に本発明を適用する場合について述べたが、入金取引又は出金取引の何れか一方のみを行う装置に本発明を適用しても良い。
【００９２】
さらに上述した実施の形態においては、基準ローラとしての基準ローラ５６と、検知ローラとしての厚み検知ローラ５８と、付勢部材としてのプレート６９及びスプリング７４、又はスプリング８０と、変位センサとしての変位センサ５９とによって、厚み検出装置としての厚み検出部６０、１６０、２６０又は３６０を構成する場合について述べた。本発明はこれに限らず、その他種々の構成でなる基準ローラと、検知ローラと、付勢部材と、変位センサとによって厚み検出装置を構成しても良い。
【００９３】
さらに上述した実施の形態においては、操作部としての接客部３と、搬送部としての搬送路３２と、基準ローラとしての基準ローラ５６と、検知ローラとしての厚み検知ローラ５８と、付勢部材としてのプレート６９及びスプリング７４、又はスプリング８０と、変位センサとしての変位センサ５９とによって、媒体取引装置としての紙幣入出金機１０、１１０、２１０及び３１０を構成する場合について述べた。本発明はこれに限らず、その他種々の構成でなる操作部と、搬送部と、基準ローラと、検知ローラと、付勢部材と、変位センサとによって媒体取引装置を構成しても良い。
【産業上の利用可能性】
【００９４】
本発明は、紙幣等の紙状の媒体を鑑別する種々の装置でも利用できる。
【符号の説明】
【００９５】
１、１０１、２０１、３０１……現金自動取引装置、２……筐体、３……接客部、４……カード入出口、５……入出金口、６……操作表示部、７……テンキー、８……レシート発行口、９……主制御部、１０、１１０、２１０……紙幣入出金機、１２……制御部、１６……紙幣入出金部、１８、１１８、２１８、３１８……鑑別部、２０……一時保留部、２２……取忘れ回収庫、２４……搬送部、２６……紙幣収納庫、２８……リジェクト庫、３０……鑑別部筐体、３２……搬送路、３４Ｕ、１３４Ｕ……上側搬送ガイド、３４Ｄ……下側搬送ガイド、３４ＡＵ……上側搬送面、３４ＡＤ……下側搬送面、３８、４０、４２……駆動ローラ、４４、４６、４８……従動ローラ、５０……磁気検出部、５２……磁気センサ、５３……光学検出部、５３Ｕ……上側反射透過センサユニット、５３Ｄ……下側反射透過センサユニット、５４……磁気ギャップローラ、５６……基準ローラ、５８……厚み検知ローラ、５８Ａ……外周面、５９……変位センサ、６０、１６０、２６０、３６０、４６０、５６０……厚み検出部、６２、１６２、２６２、３６２、４６２、５６２……厚み検出ユニット、６４……基準ローラ軸、６６……厚み検出部筐体、６８、１６８、４６８……検知ローラシャフト、６９、１６９……プレート、６９Ａ……シャフト押付部、６９Ｂ……スプリング嵌込部、７０……リブ、７２……プレート移動規制溝、７２Ｆ……前壁面、７２Ｂ……後壁面、７２Ｌ……左壁面、７２Ｒ……右壁面、７４……スプリング、７６……位置拘束用ピン、７８……シーリング材、８０……スプリング、８０Ａ……巻装部、８０Ｆ……前腕部、８０Ｂ……後腕部、８２……スプリング軸、８４……スプリング当接部材、８６……シャフト移動規制溝、８６Ｆ……前壁面、８６Ｂ……後壁面、８８……段差部、９０……ブラケット、９１……ブラケット回動軸、９０Ａ……検出面、９２……スプリング、９４……当接部材、Ｆ１、Ｆ２……反力、ｄ１……段差間距離、ｄ２……プレート幅。
【図１】
2015215845.tif 000003
【図２】
2015215845.tif 000004
【図３】
2015215845.tif 000005
【図４】
2015215845.tif 000006
【図５】
2015215845.tif 000007
【図６】
2015215845.tif 000008
【図７】
2015215845.tif 000009
【図８】
2015215845.tif 000010
【図９】
2015215845.tif 000011
【図１０】
2015215845.tif 000012
【図１１】
2015215845.tif 000013
【図１２】
2015215845.tif 000014
【図１３】
2015215845.tif 000015
【図１４】
2015215845.tif 000016
【図１５】
2015215845.tif 000017
【図１６】
2015215845.tif 000018
【図１７】
2015215845.tif 000019
【図１８】
2015215845.tif 000020
【図１９】
2015215845.tif 000021
【図２０】
2015215845.tif 000022
【図２１】
2015215845.tif 000023